(57)【要約】      （修正有）【課題】表示部と操作部を一体とした状態のまま、複雑な二動作する事なく、容易に片手で保持しながら片手操作を可能とする横形画面にて使用する携帯電子機器を提供する。【解決手段】横長形にした操作部の下辺の中間の一点を境として、その左右の縦幅に大小の差をつけその位置に指を掛け得る段差を設けた。横長形にした操作部の一部に筐体の横長手に対して直角の方向に摺動する事の出来る躯体を嵌設し、弾性バネとフックボタンによって突出挿入を反復自由とし、その突出によって左右の縦幅に段差をつけて、その位置にて指を掛け得るように構成した。【選択図】図１
0003152312.tif 000002
【実用新案登録請求の範囲】
【請求項１】
横形横画面にて使用の携帯電子機器において、横長形にした操作部の下辺の中間の一点を境として、その左右の縦幅に大小の差をつけその位置に指を掛け得る段差を設けた携帯電子機器。
【請求項２】
請求項１における横形横画面にて使用の携帯電子機器において、横長形にした操作部の一部にその筐体の横長手に対して直角の方向に摺動することの出来る躯体を嵌設し、弾性バネとフックボタンによって突出挿入を反復自由とし、その突出によって左右の縦幅に段差をつけその位置にて指を掛け得る如く構成した携帯電子機器。
【請求項３】
請求項１・２における横形横画面にて使用の携帯電子機器において、横長形にした操作部の背面の一部に指を掛け得る高さの凸起面を装着した携帯電子機器。
【請求項４】
請求項１・２における横形横画面にて使用の携帯電子機器において、横長形にした操作部の背面の一部に一定の厚さの平板を、一端にヒンジをもって蝶着し、弾性バネとフックボタンによって筐体の底面より指を掛け得る高さまで開扉閉止を反復可能とする如く装着した携帯電子機器。
【考案の詳細な説明】
【技術分野】
【０００１】  本考案は携帯電子機器を横形横画面にて使用する時に、横幅の広い機体においても片手で容易に保持し片手にて機能操作を軽快に操作し得る携帯電子機器に関する。
【背景技術】
【０００２】  現在各種の携帯電子機器において、横形横画面にて使用する時その横方向に長い故に、片手で保持しながら片手操作の出来る構造を有する携帯電子機器は存在していない。中でも携帯電話機において縦長の機体の表示部のみを複雑二軸二動作等にて横向きに回動させ使用するもので、表示部操作部を一体のまま横向き操作出来るものはない。
【考案の開示】
【考案が解決しようとする課題】
【０００３】  本考案は前述の如く表示部と操作部を一体とした状態のまま、複雑な二動作する事なく横形横画面にて使用する携帯電子機器において容易に片手で保持しながら片手操作を可能とする携帯電子機器を得ることを目的とする。
【課題を解決するための手段】
【０００４】  表示部と操作部を一体とした携帯電子機器において、上記の課題を解決するための第１の手段は、操作部の属する筐体を横長形に位置しその下辺の左右いずれかの一端より手のひらサイズの地点を境としてそこから左右の筐体の縦幅に大小の差をつけて、その位置に出来た段差に指を掛けて機体を把握し得る如く構成する。【０００５】  上記の課題を解決する第２の手段は、操作部の属する筐体を横長形に位置してその筐体の下辺の左右いずれかの側端より手のひらサイズの地点を遠地点の角とし筐体の長手に対して直角の方向に摺動することが出来る躯体を操作部の筐体に溝をつけて嵌入し、弾性バネとフックボタンによって突出挿入自在を可能として、前記の角の地点に出来た左右の縦幅の違いによる段差に指を掛けて機体を把握し得る如く構成する。【０００６】  上記の課題を解決する第３の手段は、操作部の属する筐体を横長形に位置しその筐体の背面底板に左右いずれかの側端より手のひらサイズの地点を遠地点の角とし、指の太さ程の高さをもった凸起面を構築し、その遠地点の角に指を掛けて機体を把握する如く構成する。【０００７】  上記の課題を解決する第４の手段は、操作部の属する筐体を横長形に位置しその筐体の背面底板に左右いずれかの側端より手のひらサイズの地点を遠地点として開閉し得る如き平板を設置し他端をヒンジによって底板に蝶着し弾性バネとフックボタンによって開扉閉止を反復自在とし、開扉した側の平板の一端に指を掛けて機体を把握する如く構成する。
【考案の効果】
【０００８】  前述の如く携帯電子機器を横形横画面にて使用する際、その横長形なる故に片手で把握し片手入力操作する事は困難であった。又携帯電話機には一部複雑な二軸二回転によって表示部のみを横向きに回転させるのもあるが、その不便さと横形操作には無理がある。本考案においては表示部と操作部を一体とした基本の形態のまま一動作のみで横長形の機体を片手で把握し片手指操作も容易なことは携帯性を重視する機器においては大変有効となるものである。【０００９】  又その縦横幅の大小に関係なく把握出来る事は自由にその大きさを選択する事が可能で近来の指向である横形大画面を充分満足させる効果は大である。
【考案を実施するための最良の形態】
【００１０】  前述の如く携帯電子機器を横形横画面のまま容易に把握し軽快に操作出来る為には、片手で握れる幅の構造物を付設する必要がある。以下その構成について４つの実施例を上げ図面にしたがって説明する。
【実施例１】
【００１１】  図１について説明すると、表示画面１を有する表示部２と操作キー３を配列した操作部４とをヒンジ５にて蝶接した携帯電子機器において、操作部の下辺左右いずれかの側端より手のひらサイズａの長さの地点６を境としてその左右の縦幅に差をつけると操作部下辺の６の地点に左右方向に段差が出来、そこに指を掛けて機体を把握する事が可能となる。【００１２】  図１の（ニ）は表示部を閉止して操作部と重合した場合を図示したものであるが、この場合操作部４の欠落した部分に表示画面１の頭部の一部が露出される。その露出部分に操作を終了し閉止した間にも受信されたメールを頭文より順次スクロール表示することにより全文を読了するためにこの欠落部分を活用することも可能と考えられる。
【実施例２】
【００１３】  図２について説明すると表示部２と操作部４とを同一上向きに重合し上下にスライド開閉する携帯電子機器の場合を図示する、操作部４の下辺の左右いずれかの側端より手のひらサイズａの地点６を遠地点として横長手に対して直角の方向に溝を掘り、そこに合う躯体７を嵌入し弾性バネ８とフックボタン９とによって突出挿入摺動を自由とする。躯体７を突出させると操作部４の下辺の地点６に左右の縦幅に段差が出来そこに指を掛けて機体を把握する事が出来る。【００１４】  上記の躯体７は操作部４の筐体内部のみで摺動する場合と筐体表面において操作キー３を布設して同期摺動する場合と考えられる。【００１５】  また躯体７の摺動は表示部２と連結桿にて連結させる事によって表示部２のスライド開閉と同期摺動させる事も可能である。
【実施例３】
【００１６】  図３について説明すると、表示部２と操作部４とをヒンジ５によって蝶接した場合において本図は背面を図示している。操作部４の左右いずれかの側端より手のひらサイズａの地点６を遠地点の角として指幅の高さのある凸起面１０を操作部４の底板に構築しその地点の角に指を掛けて機体を把握することが出来る。
【実施例４】
【００１７】  図４について説明すると、表示部２と操作部４とを同一上向きに重合し前後にスライド開閉する携帯電子機器における背面にて図示したもので、操作部４の下辺左右いずれかの側端より手のひらサイズａの長さの地点６を遠地点として開閉することを可能とする平板１１をヒンジ１２によって操作部４の底板に蝶接し弾性バネ１３とフックボタン１４とにより反復開扉閉止を自在とする如く装着し、開扉する事により地点６において開かれた平板１１の角に指を掛けて機体を把握することが出来る。【００１８】  また平板１１は表示部２と連結桿にて連結する事により表示部２の開閉と同時に同期開閉する事は容易に可能である。
【図面の簡単な説明】
【００１９】
【図１】請求項１の実施形態を示す。（イ）平面図  （ロ）側面図  （ハ）正面図  （ニ）表示部と操作部を閉止した場合の背面図
【図２】請求項２の実施形態を示す。（イ）平面図  （ロ）側面図  （ハ）摺動躯体を突出した場合の形態を示す平面図  （ニ）上記の場合のＡ−Ａにおける断面図  （ホ）正面図
【図３】請求項３の実施形態を示す。（イ）背面図  （ロ）側面図  （ハ）正面図
【図４】請求項４の実施形態を示す。（イ）背面図  （ロ）側面図  （ハ）平板を開いた場合の側面図  （ニ）正面図  （ホ）平板を開いた場合の正面図
【符号の説明】
【００２０】２    表示部
４    操作部
ａ    手のひらサイズの長さ
６    手のひらサイズの地点
７    摺動躯体
８、１３  弾性バネ
９、１４  フックボタン
１０  凸起面
１１  平板
【図１】
0003152312.tif 000003
【図２】
0003152312.tif 000004
【図３】
0003152312.tif 000005
【図４】
0003152312.tif 000006
【手続補正書】
【提出日】平成21年4月30日(2009.4.30)
【手続補正１】
【補正対象書類名】実用新案登録請求の範囲
【補正対象項目名】全文
【補正方法】変更
【補正の内容】
【実用新案登録請求の範囲】
【請求項１】
横形横画面にて使用の携帯電子機器において、横長形にした操作部の下辺の中間の一点を境として、その左右の縦幅に大小の差をつけその位置に指を掛け得る段差を設けた携帯電子機器。
【請求項２】
請求項１記載の横形横画面にて使用の携帯電子機器において、横長形にした操作部の一部にその筐体の横長手に対して直角の方向に摺動する事の出来る躯体を嵌設し、弾性バネとフックボタンによって突出挿入を反復自由とし、その突出によって左右の縦幅に段差をつけその位置にて指を掛け得る如く構成した携帯電子機器。
【請求項３】
請求項１または２記載の横形横画面にて使用の携帯電子機器において、横長形にした操作部の背面の一部に指を掛け得る高さの凸起面を装着した携帯電子機器。
【請求項４】
請求項１または２記載の横形横画面にて使用の携帯電子機器において、横長形にした操作部の背面の一部に一定の厚さの平板を、一端にヒンジをもって蝶着し、弾性バネとフックボタンによって筐体の底面より指を掛け得る高さまで開扉閉止を反復可能とする如く装着した携帯電子機器。